(57)【特許請求の範囲】
【請求項１】
内壁面が反射鏡に形成され、一端に接眼窓を、他端に対物窓を夫々設けた鏡筒の、対物窓に近接、対峙する位置に、所定寸法の球形体であって、肉厚内および／または表面に適宜有色の装飾が施され、中心には貫通孔を開口してなる蜻蛉玉を配置させ、該蜻蛉玉貫通孔を、鏡筒側適所に配した取着枠に支持されて鏡筒軸心と所定角度で交叉状に配されると共に、その両端側の夫々に、同心状の筒形または螺旋形であって、略同等の弾撥力に設定された弾性材部を組み合わせ、それら各弾性材部が当該取着枠軸着部と蜻蛉玉との間に挟み込まれた構造の心出し機構を併設してなる装着軸に回転自在に軸支させ、それら一対の弾性材部が、蜻蛉玉を、常に装着軸に沿って鏡筒の対物窓略中央付近に向け、挟み込み状且つ弾性的に付勢してなるものとしたことを特徴とする万華鏡。
【請求項２】
三角形断面を有する筒状内壁面が反射鏡に形成され、一端に接眼窓を、他端に対物窓を夫々設けた鏡筒を設け、該鏡筒対物窓近傍に、鏡筒軸心に略平行であって、対物窓から遠ざかるよう延伸させた取着枠の基部を着脱自在に固定し、該取着枠に、装着軸を鏡筒軸心に所定角度で交叉状に配すると共に、当該装着軸の両端側の夫々に、同心状の筒形または螺旋形であって、略同等の弾撥力に設定された弾性材部を組み合わせるようにして取着、支持させた上、該装着軸に対し、所定寸法の球形体であって、肉厚内および／または表面に適宜有色の装飾が施され、中心に貫通孔を開口してなる蜻蛉玉が、その貫通孔を回転自在に軸支させるようにして組み合わされ、当該各弾性材部が当該取着枠軸着部と蜻蛉玉との間に挟み込まれた構造の心出し機構を併設し、それら一対の弾性材部が、蜻蛉玉を、常に装着軸に沿って鏡筒の対物窓略中央付近に向け、挟み込み状且つ弾性的に付勢してなるものとしたことを特徴とする万華鏡。
【請求項３】
内壁面が反射鏡に形成され、一端に接眼窓を、他端に対物窓を夫々設けた鏡筒の、対物窓に近接、対峙する位置に、所定寸法の球形体であって、肉厚内および／または表面に適宜有色の装飾が施され、中心には貫通孔を開口してなる蜻蛉玉を配置させ、該蜻蛉玉貫通孔を、鏡筒側適所に配した取着枠に支持されて鏡筒軸心と所定角度で交叉状に配されると共に、その一端側のみ、または両端側夫々を、鏡筒接眼窓方向に向けて平行状且つ弾性的に牽引可能な牽引機構を組み込んだ取着枠に軸着されるか、あるいは、その一端側のみ、または両端側夫々を、鏡筒接眼窓方向に向けて平行状に屈曲して取着枠兼用のものに形成され、該取着枠兼用部分に、鏡筒接眼窓方向に向けて平行状且つ弾性的に牽引可能な牽引機構を組み込んだ取着枠に軸着されるかした装着軸に回転自在に軸支させると共に、それら取着枠基端部寄りで鏡筒対物窓に近接する位置には、当該装着軸に平行状であって、蜻蛉玉の球状壁面を転動自在に支持可能とするようにした間隔保持機構を併設し、接眼窓から対物面に面する蜻蛉玉までの距離を常に略一定に保つことができるようにしてなるものとしたことを特徴とする万華鏡。
【請求項４】
三角形断面を有する筒状内壁面が反射鏡に形成され、一端に接眼窓を、他端に対物窓を夫々設けた鏡筒を設け、該鏡筒対物窓近傍に、鏡筒軸心に略平行であって、対物窓から遠ざかるよう延伸させると共に、対物窓側に内壁面を向けるよう先端側を湾曲させ、同一中心を挟んで対峙、開口する略対称形状の一対の円弧型長孔を形成した取着枠の基部を着脱自在に固定し、該取着枠に、装着軸が、その両端の夫々を、取着枠に開口され、同一中心を挟んで対峙した略対称形状の一対の円弧型長孔間に掛け渡し状且つ着脱自在に仮着、支持されるようにし、当該装着軸を鏡筒軸心と所定角度で交叉するよう取着、支持させた上、当該装着軸に対して、所定寸法の球形体であって、肉厚内および／または表面に適宜有色の装飾が施され、中心に貫通孔を開口してなる蜻蛉玉が、その貫通孔を回転自在に軸支させて組み合わされ、それら一対の円弧型長孔に対する装着軸両端の仮着、支持箇所を変更することにより、鏡筒接眼窓から覗いて映し出される鏡筒内反射鏡の映像を変化させるようにしてなるものとしたことを特徴とする万華鏡。
【請求項５】
装着軸が、その両端側の夫々に、同心状の筒形または螺旋形であって、略同等の弾撥力に設定された弾性材部を組み合わせ、それら各弾性材部が取着枠軸着部と蜻蛉玉との間に挟み込まれた構造の心出し機構を併設してなるものとしたことにより、それら一対の弾性材部が、蜻蛉玉を、常に装着軸に沿って鏡筒の対物窓略中央付近に向け、挟み込み状且つ弾性的に付勢してなるものとした、請求項４記載の万華鏡。
【請求項６】
装着軸が、その一端側のみ、または両端側夫々を、鏡筒接眼窓方向に向けて平行状且つ弾性的に牽引可能な牽引機構を組み込んだ取着枠に軸着されるようにするか、装着軸が、その一端側のみ、または両端側夫々を、鏡筒接眼窓方向に向けて平行状に屈曲して取着枠兼用のものに形成され、該装着軸の取着枠兼用部分に、鏡筒接眼窓方向に向けて平行状且つ弾性的に牽引可能な牽引機構を組み込んでなるものとすると共に、取着枠基端部寄りで鏡筒対物窓に近接する位置には、当該装着軸に平行状であって、蜻蛉玉の球状壁面を転動自在に支持可能とするようにした間隔保持機構を併設することにより、接眼窓から対物面に面する蜻蛉玉までの距離を常に略一定に保つことができるようにした、請求項４記載の万華鏡。
【請求項７】
鏡筒対物窓側の外側に着脱自在に取り付け可能とする装着部を有し、該装着部からは鏡筒対物窓から離れる方向に延伸する所定長さの取着枠が形成されてなるものとする一方、この取着枠の所定箇所には、円弧型長孔または円孔が形成されており、それら円弧型長孔または円孔に、所定寸法の球形体であって、肉厚内および／または表面に適宜有色の装飾が施され、中心に貫通孔を開口してなる蜻蛉玉を、鏡筒対物窓に近接、対峙する所定位置であって、その貫通孔を鏡筒の軸心と所定角度で交叉する軸心をもって組み込むことができ、且つ所定位置で回転自在に軸着されたものとなるよう、蜻蛉玉貫通孔に装着、軸支する装着軸の一端側が、着脱自在に取着されてなるものとしたことを特徴とする、請求項１ないし６何れか一記載の万華鏡に使用する蜻蛉玉装着具。
【発明の詳細な説明】
【０００１】
【発明の目的】
この発明は、色彩や形等の変化を楽しむことのできる玩具，またはそれに類する物に関するものであって、特に、複雑な色彩や模様等を有する球形体を、内壁面が反射鏡に形成された鏡筒を通して覗き込み、その映像の変化を楽しむことができる新規な構造からなる万華鏡、およびそれに使用する新規な構造の蜻蛉玉装着具を提供しようとするものである。
【０００２】
【従来の技術】
万華鏡は、比較的簡素な構造であるにも関わらず、不思議で変化に富む映像を手軽に楽しむことができる玩具として、古くから絶えることなく根強い人気を集め、長い歴史を刻む伝統的な玩具の一つであって、一般的には、複数枚の鏡を多角形の筒状に向かい合わせて鏡筒とし、その一方端を比較的小径な接眼窓とし、他方端の対物窓側に、大小様々な形状に切断された複数色、複数枚の色紙片を収容すると共に、外光を取り入れることができるようにしてなる収容室を設けたものであり、該接眼窓から鏡筒内部を覗き込みながら、同鏡筒を、その軸心回りに回転させると、複数枚の色紙片が揺り動かされ、筒状の鏡面に無限、連続状に映し出される映像が次々と不規則に変化し、その変化する映像を接眼窓から覗いて楽しむことができるようにしたものである。
【０００３】
こうした色紙片を使用する伝統的な万華鏡の基本構造に捕らわれることなく、これまでにも、更に新鮮で新たな驚きのある映像を映し出すことのできるようにした万華鏡の実現を目指し、より変化に富んだ多種多様の対象物を映し出す試みがなされており、例えば、特開平７−２８１１２５号公報に開示された万華鏡は、表面にキャラクターやパターン等を施した回転体を、鏡筒対物窓側と下部ケースとの間に、回転自在に挟持させた構造であって、鏡筒接眼窓を覗き込みながら、外部から該回転体を回転操作し、鏡筒内部に映し出される映像を楽しむことができるようにしたものであり、また、登録実用新案第３０４１５９３号公報に示された実施例中に提案されているもののように、鏡筒の対物窓側に対峙させた透明球体状のオブジェクト箱内に、高粘度の透明な液体と共に、色ガラス片や金属片等を充填してなる万華鏡や、鏡筒の対物窓に、同鏡筒の軸心に略直交状となるよう配置した円柱状のオブジェクト箱を、同円柱状オブジェクト箱の軸心回りに回転可能とした構造のもの等が存在している。
【０００４】
また、それらの流れの一つとして、ガラス工芸品として三千年もの永い歴史をもち、古くから首飾りやブレスレットその他の装身具に採用されてきている極めて独創的なデザインの施された蜻蛉玉を、鏡筒の対物窓際に装着して万華鏡にしようとする試みもなかった訳ではないが、全て蜻蛉玉工芸作家による手作りの蜻蛉玉は、そのデザインによって必ずしも真球状に造り上げられるとはいえない上、その外径寸法も大小様々な球体となってボリュームのあるものとなってしまうため、前記発明や考案等に示された改良型の万華鏡に取り入れられている保持構造を用いたのでは、対物窓に対峙状に配置させ、且つ回転自在に装着することは極めて困難である。
【０００５】
仮に、蜻蛉玉を単に鏡筒対物窓に対峙状であって回転自在に配置させたとしても、その蜻蛉玉は、手作りであるが故に大小様々で真球状のものではないため、ある蜻蛉玉は、その回転の途中で対物窓に強く接触して互いに損傷してしまったり、また、ある蜻蛉玉は、嵌合状となって回転不能となってしまうものであり、このような問題を解消しようとして緩やかに装着してしまうと、回転に伴って対物窓から蜻蛉玉表面までの距離や、蜻蛉玉ガラス表面の曲率が次々と変化し、ある位置では、接眼窓から見える映像のピントがずれて良好な映像を鑑賞することができないものになってしまうという不都合が生じてしまうことから、これまでのところでは映像を映し出すための素材として該蜻蛉玉が効果的に取り入れられ、新たな趣の万華鏡に完成されたものは見出だすことができなかった。
【０００６】
この発明は、以上のような状況を知得してはいたものの、蜻蛉玉工芸作家の一人として新たな領域を開拓したいとする願望から、これまで長期に渡って蜻蛉玉を装着した万華鏡の実現が阻まれてきた事情を分析し、蜻蛉玉を適正な位置に安定して回転自在に支持することができ、確かな映像の得られる万華鏡の実現化ができないものかとの判断から、逸速くその開発、研究に着手し、長期に渡る試行錯誤と幾多の試作、実験とを繰り返してきた結果、今回、遂に新規な構造の万華鏡、およびそれに使用する新規な構造の蜻蛉玉装着具を実現化することに成功したものであり、以下では、図面に示すこの発明を代表する実施例と共に、その構成を詳述することとする。
【０００７】
【発明の構成】
図面に示すこの発明を代表する実施例からも明確に理解されるように、この発明に包含される万華鏡は、基本的に次のような構成から成り立っている。
即ち、内壁面が反射鏡に形成され、一端に接眼窓を、他端に対物窓を夫々設けた鏡筒の、対物窓に近接、対峙する位置に、所定寸法の球形体であって、肉厚内および／または表面に適宜有色の装飾が施され、中心には貫通孔を開口してなる蜻蛉玉を配置させ、該蜻蛉玉貫通孔を、鏡筒側適所に配した取着枠に支持されて鏡筒軸心と所定角度で交叉状に配されると共に、その両端側の夫々に、同心状の筒形または螺旋形であって、略同等の弾撥力に設定された弾性材部を組み合わせ、それら各弾性材部が当該取着枠軸着部と蜻蛉玉との間に挟み込まれた構造の心出し機構を併設してなる装着軸に回転自在に軸支させ、それら一対の弾性材部が、蜻蛉玉を、常に装着軸に沿って鏡筒の対物窓略中央付近に向け、挟み込み状且つ弾性的に付勢してなるものとした構成を要旨とする万華鏡である。
【０００８】
この基本的な構成からなる万華鏡を、表現を変えて示すと、三角形断面を有する筒状内壁面が反射鏡に形成され、一端に接眼窓を、他端に対物窓を夫々設けた鏡筒を設け、該鏡筒対物窓近傍に、鏡筒軸心に略平行であって、対物窓から遠ざかるよう延伸させた取着枠の基部を着脱自在に固定し、該取着枠に、装着軸を鏡筒軸心に所定角度で交叉状に配すると共に、当該装着軸の両端側の夫々に、同心状の筒形または螺旋形であって、略同等の弾撥力に設定された弾性材部を組み合わせるようにして取着、支持させた上、該装着軸に対し、所定寸法の球形体であって、肉厚内および／または表面に適宜有色の装飾が施され、中心に貫通孔を開口してなる蜻蛉玉が、その貫通孔を回転自在に軸支させるようにして組み合わされ、当該各弾性材部が当該取着枠軸着部と蜻蛉玉との間に挟み込まれた構造の心出し機構を併設し、それら一対の弾性材部が、蜻蛉玉を、常に装着軸に沿って鏡筒の対物窓略中央付近に向け、挟み込み状且つ弾性的に付勢してなる構成の万華鏡であるということができる。
【０００９】
そして、この発明の万華鏡を、より具体的な構成のものとして示すと、内壁面が反射鏡に形成され、一端に接眼窓を、他端に対物窓を夫々設けた鏡筒の、対物窓に近接、対峙する位置に、所定寸法の球形体であって、肉厚内および／または表面に適宜有色の装飾が施され、中心には貫通孔を開口してなる蜻蛉玉を配置させ、該蜻蛉玉貫通孔を、鏡筒側適所に配した取着枠に支持されて鏡筒軸心と所定角度で交叉状に配されると共に、その一端側のみ、または両端側夫々を、鏡筒接眼窓方向に向けて平行状且つ弾性的に牽引可能な牽引機構を組み込んだ取着枠に軸着されるか、あるいは、その一端側のみ、または両端側夫々を、鏡筒接眼窓方向に向けて平行状に屈曲して取着枠兼用のものに形成され、該取着枠兼用部分に、鏡筒接眼窓方向に向けて平行状且つ弾性的に牽引可能な牽引機構を組み込んだ取着枠に軸着されるかした装着軸に回転自在に軸支させると共に、それら取着枠基端部寄りで鏡筒対物窓に近接する位置には、当該装着軸に平行状であって、蜻蛉玉の球状壁面を転動自在に支持可能とするようにした間隔保持機構を併設し、接眼窓から対物面に面する蜻蛉玉までの距離を常に略一定に保つことができるようにしてなるものとした万華鏡となる。
【００１０】
また、この発明には、三角形断面を有する筒状内壁面が反射鏡に形成され、一端に接眼窓を、他端に対物窓を夫々設けた鏡筒を設け、該鏡筒対物窓近傍に、鏡筒軸心に略平行であって、対物窓から遠ざかるよう延伸させると共に、対物窓側に内壁面を向けるよう先端側を湾曲させ、同一中心を挟んで対峙、開口する略対称形状の一対の円弧型長孔を形成した取着枠の基部を着脱自在に固定し、該取着枠に、装着軸が、その両端の夫々を、取着枠に開口され、同一中心を挟んで対峙した略対称形状の一対の円弧型長孔間に掛け渡し状且つ着脱自在に仮着、支持されるようにし、当該装着軸を鏡筒軸心と所定角度で交叉するよう取着、支持させた上、当該装着軸に対して、所定寸法の球形体であって、肉厚内および／または表面に適宜有色の装飾が施され、中心に貫通孔を開口してなる蜻蛉玉が、その貫通孔を回転自在に軸支させて組み合わされ、それら一対の円弧型長孔に対する装着軸両端の仮着、支持箇所を変更することにより、鏡筒接眼窓から覗いて映し出される鏡筒内反射鏡の映像を変化させるようにしてなる構成の万華鏡が包含されている。
【００１１】
鏡筒は、反射鏡に形成された内壁面を有し、一端側に接眼窓、他端側に対物窓が夫々形成され、対物窓に近接、対峙するよう配置された蜻蛉玉の模様や色彩を接眼窓側に映し出す機能を果たすものであり、略全反射する鏡からなる内壁面を設けたものとしなければならず、内壁面を、互いに僅かな隙間を開けて対峙させた複数枚の壁面から形成したり、多角筒状に互いの端面を接合状に連続してなる複数枚の壁面から形成することが可能である外、継ぎ目無く曲面状に連続する筒形状に形成することができ、例えば、多角筒、円筒、楕円筒、多角錐筒、円錐筒、楕円錐筒状等に形成することが可能であり、また、この鏡筒は、内壁面を反射鏡とするものとしているが、一端側に接眼窓、他端側に対物窓を夫々形成し、その外周壁面に、全反射または半反射被膜を施してなる多角状もしくは曲面に形成した透光性を有する光学素子からなる柱状体を内蔵したものや、あるいはそれ自体とすることが可能であって、対物窓から入射した蜻蛉玉の映像は、柱状体内壁面に反射しながら光学素子内を通過し、接眼窓に到達するよう構成したものとすること等も可能である。
【００１２】
蜻蛉玉は、鏡筒の対物窓に近接、対峙し、多彩な映像や色彩を醸し出しための、従前からの大小様々な形状に切断された複数色、複数枚の色紙片に代わる映像源としての機能を果たすものであり、伝統的な構造のものの外、内部だけではなく、場合によっては表面にまでも有色、無色の斬新な装飾模様の施された創作性豊かなあらゆる塊状のものに形成されていて、その中心付近には、直線状の貫通孔を穿孔し、軸着可能な構造としてなる一般的な構造のものの外、場合によっては、同一直線状に配置するようにした一対の盲穴を形成し、両側から個々に独立した枢着構造となるようにしたものとして形成することも可能であり、それら枢着構造も特定の蜻蛉玉に限って回転自在になるようにしたものから、適宜各種蜻蛉玉に交換可能になるよう着脱自在の枢着構造、例えば、装着軸を螺着構造や差しピン止め構造、その他の公知の手段で仮止めできるようにしたもの等とすることができる。
【００１３】
取着枠は、装着軸を鏡筒対物窓に近接、対峙する所定位置に配置させ、しかも鏡筒の軸心と所定角度で略交叉するよう支持し、該装着軸に回転自在に装着した蜻蛉玉を、充分な強度をもって支持する機能を果たすものであって、装着可能な寸法の蜻蛉玉を充分な強度で支持できる強度に設定しなければならず、鏡筒側へ予め一体化してなるものとする外、鏡筒に対して脱着が可能な構造としたり、装着軸を取着枠に一体化してなるものや、該装着軸に対して脱着自在になる適宜装着構造からなるものとすることが可能であり、例えば、先端側をＪ字枠状に湾曲させ、その湾曲形に沿って対称形状の一対の円弧型長孔を形成し、装着軸を所定角度範囲で揺動可能な構造とすることが可能であり、また、蜻蛉玉を包囲する先端側枠部を無くし、装着軸を片持状、あるいは両端支持状に支持する構造のもの等とすることも可能である。
【００１４】
装着軸は、蜻蛉玉を鏡筒対物窓に近接、対峙する所定位置に配置させ、鏡筒の軸心に対し所定角度傾けた軸心回りに、回転自在に支持するようにした機能を果たすものであって、その両端の夫々を、取着枠に開口され、同一中心を挟んで対峙した略対称形状の一対の円弧型長孔間に掛け渡し状且つ着脱自在に仮着、支持されてなるものとし、それら一対の円弧型長孔に対する装着軸両端の仮着、支持箇所を移動することにより、鏡筒接眼窓から覗いて映し出される鏡筒内反射鏡の映像を変化させるようにすることが可能であり、上記したとおり、取着枠に対して着脱自在に支持されるようにしたものに形成し、蜻蛉玉が、その貫通孔を該装着軸に対して回転自在且つ着脱自在に軸支させてなるものに形成されていて、取着枠から装着軸を外すことにより、随時蜻蛉玉を交換可能とした構造によるものとするのが最も望ましいといえる。
【００１５】
更に必要があれば、後述する実施例にも取り上げてあるとおり、装着軸が、その両端側の夫々に同心状の筒形または螺旋形であって、略同等の弾撥力に設定された弾性材部を組み合わせ、それら各弾性材部が取着枠軸着部と蜻蛉玉との間に挟み込まれた構造の心出し機構を併設してなるものとしたことにより、それら一対の弾性材部が、蜻蛉玉を、常に装着軸に沿って鏡筒の対物窓略中央付近に向け、挟み込み状且つ弾性的に付勢してなるものとすることも可能であり、また、装着軸が、その一端側のみ、または両端側夫々を、鏡筒接眼窓方向に向けて平行状且つ弾性的に牽引可能な牽引機構を組み込んだ取着枠に軸着されるようにするか、装着軸が、その一端側のみ、または両端側夫々を、鏡筒接眼窓方向に向けて平行状に屈曲して取着枠兼用のものに形成され、該装着軸の取着枠兼用部分に、鏡筒接眼窓方向に向けて平行状且つ弾性的に牽引可能な牽引機構を組み込んでなるものとすると共に、取着枠基端部寄りで鏡筒対物窓に近接する位置には、当該装着軸に平行状であって、蜻蛉玉の球状壁面を転動自在に支持可能とするようにした間隔保持機構を併設することにより、接眼窓から対物面に面する蜻蛉玉までの距離を常に略一定に保つことができるようにした構造とすることができる。
【００１６】
【関連する発明】
上記した万華鏡に関連して、この発明には、別体に形成された万華鏡用鏡筒の対物窓側に装着すれだけで、この発明の万華鏡の基本的構成を簡単に実現することができる、以下のような万華鏡用の蜻蛉玉装着具も包含しており、その構成の要旨は、基本的に次のとおりのものである。
即ち、鏡筒対物窓側の外側に着脱自在に取り付け可能とする装着部を有し、該装着部からは鏡筒対物窓から離れる方向に延伸する所定長さの取着枠が形成されてなるものとする一方、この取着枠の所定箇所には、円弧型長孔または円孔が形成されており、それら円弧型長孔または円孔に、所定寸法の球形体であって、肉厚内および／または表面に適宜有色の装飾が施され、中心に貫通孔を開口してなる蜻蛉玉を、鏡筒対物窓に近接、対峙する所定位置であって、その貫通孔を鏡筒の軸心と所定角度で交叉する軸心をもって組み込むことができ、且つ所定位置で回転自在に軸着されたものとなるよう、蜻蛉玉貫通孔に装着、軸支する装着軸の一端側が、着脱自在に取着されてなるものとした構成を要旨とする、前記した構成の万華鏡に使用するための蜻蛉玉装着具である。
【００１７】
装着部は、取着枠から先の装着軸および蜻蛉玉を、鏡筒の対物窓側に対して脱着自在に装着可能とする機能を果たすものであり、鏡筒側に特別の取り付け構造を設けなくとも、仮止め可能な程度の取着構造を設けてなるものとしなければならず、外径寸法の異なる鏡筒であっても、随時調整して装着可能となるようにした構造のものとするのが望ましく、鏡筒の対物窓側の端部外周壁に装着可能な筒状あるいは枠状に形成し、鏡筒の外側に装着可能な短筒状に形成され、先端側を鏡筒に向けた仮止め用のネジを、肉厚方向に貫通状に螺着した構造とすることが可能である外、装着部自体を天然ゴムや軟質な合成樹脂からなる筒状あるいは枠状に形成し、その弾性変形によって鏡筒の外径に対応可能なものとすることができ、更にまた、該装着部を筒型に形成し、その内周壁面に雌ネジを、鏡筒対物窓側の外周壁面に雄ネジを夫々刻設し、螺着可能な構造として、対物窓から蜻蛉玉までの距離を進退、調節可能な構造とすることが可能である。
以下では、図面に示すこの発明を代表する実施例と共に、その構造について詳述することとする。
【００１８】
【実施例１】
図１の先端側に剥離剤を塗布した作業棒の斜視図、図２の剥離層を付着した作業棒の斜視図、図３の剥離層の外周面に装飾を施す作業状態の斜視図、図４の先端に蜻蛉玉を形成し終えた作業棒の斜視図、図５の分解された万華鏡の斜視図、および図６の万華鏡の斜視図に示される事例は、万華鏡の対物窓の近傍に、透明なガラス素材からなる所定寸法の球形体であって、肉厚内に適宜有色のガラスにより、形成した装飾が施され、中心に直線状の貫通孔を開口してなる蜻蛉玉を、回転自在に対峙させた基本的構成からなる、この発明に包含される万華鏡における代表的な一実施例を示すものである。
【００１９】
この実施例の万華鏡は、三枚の長方形鏡板を、互いの鏡面同士を内側に向け、長辺縁同士が接合され、三角形断面を形成するよう組合せ、円筒状の本体内に同心状の配置とするよう収容し、その一端側には、比較的小径の接眼窓１１、他端側に比較的大径の対物窓１２を、形成するガラス板が嵌め込まれた口金具を夫々装着してなる鏡筒１を有し、該鏡筒１の対物窓１２近傍側外周壁面には、鏡筒１の軸心に平行状に配置された一対のネジ孔１３，１３が、鏡筒１円形断面形の中心に向けて穿孔され、該ネジ孔１３，１３には、先端側が略Ｊ型に湾曲された取着枠２の基端側に穿孔された一対の取着孔２１，２１が夫々対応し、取着ネジ３，３によって脱着自在に取り着けられることにより、取着枠２先端側が対物窓１２から遠ざかるよう延伸された状態に仮止め固定された構造となっており、該取着枠２先端部、および同先端部と対峙状となる中途部の夫々には、装着軸４を、鏡筒１の軸心と所定角度で交叉する姿勢に支持可能な軸受け孔２２，２２が穿孔されており、一端側に抜止め用の頭部を形成し、他端側に雄ネジを刻設してなる前記装着軸４が、一方から他方の軸受け孔２２，２２を貫通し、取着枠２から外側に露出状となった他端側雄ネジに仮止め用ナット４１を螺着し、固定状に支持される構造としている。
【００２０】
この装着軸４中途部には、図１ないし図４中に順次示したように、装着軸４より僅かに大きな外径寸法に設定された作業棒６の先端側所定範囲に剥離剤を塗布し、その上に重ねるよう、ガラスと一体化する耐熱性の剥離層５１（後に貫通孔５１となる）を形成し、同剥離層５１の外周壁面上に、適宜有色のガラス棒６１を複数本組み合わせる等しながら、バーナー６２を用いて熔かし、鮮やかな色彩と形状とを成すよう付着させると共に、有色または無色の透明なガラス棒６１を用い、最終的に図４に示すような球形体とした後、作業棒６から抜き取り、造り上げた蜻蛉玉５を、その抜き取り跡に開口している貫通孔５１に装着軸４を貫通状に装着した上、該装着軸４の両端を取着枠２内に回転自在に軸着してなるものとしてある。
【００２１】
取着枠２は、軸受け孔２２，２２の夫々を、図７の蜻蛉玉を揺動自在に軸着した万華鏡の分解された状態の斜視図、および図８の蜻蛉玉を揺動自在に軸着した万華鏡の斜視図に示すように、同一中心を挟んで対峙した略対称形状の一対の円弧型長孔２３，２３とし、装着軸４を該一対の円弧型長孔２３，２３に沿って揺動自在な構造とすることが可能である外、図９の蜻蛉玉装着具を鏡筒に装着する状態の断面図に示されるように、装着の対象となる鏡筒１に被着可能な内径寸法に設定され、対物窓１２に対応する開口窓７２を形成した短筒型の装着部７１の開口窓７２側外周壁面に、蜻蛉玉５を支持可能な取着枠２を脱着自在に装着する一方、同装着部７１外周壁の何れかの箇所には、先端側を鏡筒１の外周壁面に接合するよう肉厚方向に貫通し、外側に露出状となる基端側に、回動操作用の摘み部を形成した仮止めネジ７３を螺着してなる蜻蛉玉装着具７を形成し、別体の鏡筒１に適宜装着可能な構造とすることが可能である。
【００２２】
【実施例２】
図１０の心出し機構の側面図に示される事例は、この発明の万華鏡に包含される他の実施例を示すものであり、蜻蛉玉が対物窓の略中央に向けて弾性的に付勢され、自動的に心出しされるよう構成されたものであって、蜻蛉玉５貫通孔５１の両端間と、取着枠２の内側面との間の夫々に、装着軸４に同心状に配置するよう二個のコイルバネを装着し、心出し機構２４を形成するようにした代表的な実施例によるものである。
【００２３】
【実施例３】
また、図１１の牽引機構の正面図、および図１２の牽引機構の側面図に示す事例は、対物窓と、対物窓に対峙する蜻蛉玉の表面との距離を、常に略一定に保つことを可能とする代表的な実施例を示すものであって、蜻蛉玉５を回転自在に装着した装着軸４の、露出状となった両端側をＵ型とするよう平行状に折曲し、その両端側が取着枠２の一部を形成するものとなり、鏡筒１の対物窓１２近傍外周壁に固着した一対の進退支持枠８１，８１の夫々に進退自在に装着されると共に、鏡筒１の、図示しない接眼窓側に突出された両端側中途部に、コイルバネ８２，８２を夫々同心状に装着した上、各先端側に抜け止め用のナット８３，８３を螺着し、牽引機構８を形成する一方、鏡筒１対物窓１２の外周縁部には、該蜻蛉玉５に貫通する装着軸４中途部に平行状であって、蜻蛉玉５の表面に転動自在に接合、支持可能な比較的軟質な素材からなる転動ローラー９１，９１を回転自在に支持する転動支持枠９２，９２が固着され、間隔保持機構９を形成するようにしたものとしている。
【００２４】
【実施例４】
図１３の平行状の取着枠の正面図、図１４の蜻蛉玉の貫通孔両端側のみ枢着する取着枠の正面図、および図１５の片持型の取着枠の正面図の夫々に示される事例は、取着枠の構造を更に変更してなる、この発明に包含される万華鏡の幾つかの代表的な実施例を示すものであり、図１３に示す万華鏡は、鏡筒１の軸心を挟み対峙する位置から、一対の装着枠２，２が略平行状に延伸され、その先端部間に、蜻蛉玉５を回転自在に支持する装着軸４が掛け渡し状に支持されるようにした構造のものであり、図１４に示したものは、鏡筒１の軸心を挟み対峙する位置から、弾性変形可能な一対の装着枠２，２を略平行状に延伸させ、その先端部対峙面の夫々に、同心状に突出する比較的短尺な装着軸４，４を立設し、蜻蛉玉５を挟み込むように枢支するものとしている。更に、図１５の万華鏡は、鏡筒１の軸心に略平行な一本の取着枠２を延伸させ、同取着枠２の先端部に、基端部が固着され、先端側に雄ネジが刻設された装着軸４を立設し、蜻蛉玉５を装着して露出状となった雄ネジに、仮止め用ナット４１，４１を螺着した構造となっている。
【００２５】
【作用】
以上のとおりの構成からなるこの発明の万華鏡は、図１ないし図４に示されるようにして形成された蜻蛉玉５を、図５および図６に示すような鏡筒１、取着枠２および装着軸４により、該鏡筒１対物窓１２に近接、対峙する位置に、その貫通孔５１を中心に回転自在に軸着したものであり、蜻蛉玉５を回転操作すれば、鏡筒１接眼窓１１から覗き、映し出される鏡筒１内反射鏡の映像を多彩に変化させることが可能となり、また、図７および図８に示されるように、装着軸４の両端側を軸着する取着枠２の一対の円弧型長孔２３，２３に沿って揺動可能とすれば、装着軸４を固定的に支持した構造に比較して、鏡筒１内反射鏡に映し出される映像に、より多様な変化を与えることが可能となる。更に、図９中に示される蜻蛉玉装着具７を用いれば、複数の鏡筒１への着脱使用が可能となる上、仮止めネジ７３を一旦緩め、鏡筒１対物窓１２から蜻蛉玉５表面までの距離を適宜調節し、最適な焦点位置に仮止めすることが可能となる。
【００２６】
図１０に示した心出し機構２４は、蜻蛉玉５を装着軸４に沿って図中白抜き矢印で示す中心方向に弾性的に付勢し、挟み込むようにして蜻蛉玉５の略中心を、鏡筒１対物窓１２の略中央に自動的に移動させ、位置決めするものとなり、図１１および図１２に示される牽引機構８は、略Ｕ型に折曲された装着軸４の両端を、図１１中の白抜き矢印に示すように牽引し、蜻蛉玉５を対物窓１２側に弾性的に引き寄せるものとなり、間隔保持機構９が、蜻蛉玉５の表面に転動自在に当接して、対物窓１２との距離を略一定に保つものとなり、図１２中の実線矢印に示すように蜻蛉玉５を転動操作すれば、該蜻蛉玉５の表面形状に従い、同図中白抜き矢印で示すように、装着軸４が自動的に進退移動して、常に対物窓１２と、これに対峙する蜻蛉玉５の表面との距離が略一定に保たれるものとなる。
【００２７】
図１３に示す取着枠２は、対物窓１２とは反対側となる部分を廃止した構造となっているので、取着枠２が、対物窓１２に映り込み、映像を疎外してしまうのを阻止するものとなり、図１４に示した取着枠２，２が弾性変形可能であると共に、装着軸４，４は、各取着枠２，２先端側対峙面から突出された構造なので、左右の取着枠２，２を拡開状に変形させれば、容易に蜻蛉玉５を着脱可能であり、更に、直径の異なる蜻蛉玉５と入れ替えることも可能となる。更に、図１５に示した片持型の取着枠２は、取着枠２が対物窓１２に映り込む現象を、更に減らし、蜻蛉玉５に入射する光量を増加することが可能となる。
【００２８】
【効果】
以上のとおり、この発明の万華鏡によれば、手作りによって巧みに細工を凝らして造り上げられたが故に、大小様々な球体であって、しかも真球状のものが得難い形状のものとなっている伝統的な装飾品である蜻蛉玉を、その製造の際に使用する作業棒の抜き跡を利用して装着軸を通す貫通孔とし、この貫通孔を利用して鏡筒の対物窓に回転自在に対峙するよう装着した構成としたものであり、従前までの構造であれば、真球状に形成されていない蜻蛉玉を回転操作すると、回転の途中で対物窓に接触したり、保持枠等の構造部分に当接して嵌合状に固定されてしまい、それ以上動かすことができなくなるばかりか、対物窓および蜻蛉玉の双方に傷が付いてしまったり、破損してしまう虞れがあったが、このような回転操作による弊害を遍く解消し、円滑な回転操作を可能とすることができる上、装着軸によって定位置に支持された蜻蛉玉は、対物窓とそれに対峙する表面との距離を、常に略一定に保つことができるものとなり、接眼窓から見える映像のピントがずれてしまうのを高い確立で防止し、実像を安定させ、良好な状態で変化する映像を鑑賞することをできるようにするという秀れた効果を発揮するものとなる。
【００２９】
また、この発明の万華鏡に使用する蜻蛉玉装着具によれば、蜻蛉玉の数に応じた鏡筒を準備する必要がなく、一般的に利用されている万華鏡用の鏡筒を一つ準備するだけで、複数の蜻蛉玉を着脱して楽しむことができるものとなり、非常に経済的であって多様な変化を楽しむことができる万華鏡の実現化を可能にするものであり、更に、対応可能な鏡筒径の寸法範囲を広く設定することにより、大小様々な鏡筒に装着可能とすることも可能となる上、鏡筒の対物窓に対する装着位置を、鏡筒の軸心方向に進退調節可能な取り付け構造を設ければ、対物窓から蜻蛉玉までの距離を自在に調節することが可能となり、装着する蜻蛉玉毎の曲率に応じた夫々の焦点位置に装着、仮り固定することができるものとなるという秀れた特徴を有するものとなる。
【００３０】
特に、実施例に取り上げている万華鏡は、上記した固有の特徴に加え、図１ないし図４に順次示したような工程で蜻蛉玉５を製造し、作業棒６を抜き外した跡を、そのまま装着軸４を通すための貫通孔５１として利用することが可能となり、蜻蛉玉５の製造過程に、支障を来すことなく直線状の孔を開口することができるものであって、図５および図６に示されるように、蜻蛉玉５の外周を覆うように湾曲、形成された取着枠２は、蜻蛉玉５の他の物への接触を防ぎ、保護するものとなり、装着軸４を着脱可能な構造としたことにより、複数の蜻蛉玉５を、その時々に応じて取り替えることを可能とし、更に必要があれば取着ネジ３，３を外し、取着枠２を、蜻蛉玉５の大小に応じた寸法のものに交換することができるという効果が得られるものとなる。
【００３１】
また、図７および図８のように、取着枠２の円弧型長孔２３，２３間に装着軸４を取り付けるようにしたものでは、蜻蛉玉５の支持角度を図８中の矢印方向に揺動することが可能となり、装着軸４を固定的に支持した構造よりも、更に多彩な映像の変化を楽しむことができ、このような蜻蛉玉５の揺動構造は、図９に示す蜻蛉玉装着具７にも応用することができる。また、図１０のように心出し機構２４を設ければ、装着された蜻蛉玉の大小に関わらず、常に対物窓１２の中央に、蜻蛉玉５の所望する表面部が配置するよう支持可能とする利点も得られ、更に、図１１および図１２に示した実施例によるもののように、牽引機構８および間隔保持機構９を設けてなるものでは、対物窓１２と、それに対峙する蜻蛉玉５の表面との距離を常に略一定な状態に保つことができる万華鏡を実現できるので、ピンボケ現象の発生を確実に防止することができるという効果を奏するものとなる。
【００３２】
更に、図１３のように，対物窓１２とは反対側となる蜻蛉玉５の背後に、取着枠２が延伸されない構造のものによれば、背後からの取着枠２の不要な写り込みが避けられて、純粋に蜻蛉玉５の模様の変化だけを楽しむことが可能名も野とすることができ、図１４に示される取着枠２，２の場合には、その構造が簡単であり、拡開状に弾性変形させるだけで、貫通孔５１の両端側を枢支されていた蜻蛉玉５を簡単に着脱することできるものになる上、直径の異なる蜻蛉玉５であっても、適応範囲内であれば簡単に装着可能とする特徴を備えたものとなり、また、図１５のように片持型の取着枠２としたものでは、蜻蛉玉５の周囲を開放状とし、より多くの光が蜻蛉玉５に当たり、接眼窓１１から見える映像を、より明るく鮮明なものとすることができるという極めて有利な効果を発揮することになる。
【００３３】
叙述の如く、この発明の万華鏡、およびそれ用の蜻蛉玉装着具は、その新規な構成によって所期の目的を遍く達成可能とするものであり、従前からの万華鏡では得ることのできなかった、蜻蛉玉の独特な模様を利用した多様な映像の変化を楽しむことが可能となり、しかも製造も容易で、製造工程において難しい高精度な細工や調整等等の作業を必要とせず、比較的低廉に組み立て、製造することができる上、手作りの蜻蛉玉を使用するにも関わらず、蜻蛉玉への孔開け作業が不要なので作業効率を良好に保つことが可能であり、しかも手作りの温もりがあり、趣味として自作した蜻蛉玉を装着し、その映像の変化を鑑賞することも可能であることから、永年に渡って蜻蛉玉を愛好してきた人々や、これまで万華鏡を愛好してきた人々、ならびに蜻蛉玉や万華鏡の製造、販売に携わる人々等からも高い評価がなされ、広範に渡って利用、普及していくものになると予想することができる。
【図面の簡単な説明】
図面は、この発明の万華鏡、およびそれ用の蜻蛉玉装着具の技術的思想を具現化した幾つかの実施例を示すものである。
【図１】    先端側に剥離剤を塗布した作業棒を示す斜視図である。
【図２】    剥離層を設けた作業棒を示す斜視図である。
【図３】    ガラス棒を熔かし付着させている作業状態を示す斜視図である。
【図４】    作業棒の先端に形成した蜻蛉玉を示す斜視図である。
【図５】    分解された万華鏡を示す斜視図である。
【図６】    万華鏡を示す斜視図である。
【図７】    装着軸を揺動可能な万華鏡の構造を分解して示す斜視図である。
【図８】    装着軸を揺動可能な万華鏡の構造を示す正面図である。
【図９】    蜻蛉玉装着具の構造を示す断面図である。
【図１０】    心出し機構の構造を示す正面図である。
【図１１】    牽引機構および間隔保持機構を示す正面図である。
【図１２】    牽引機構および間隔保持機構を示す側面図である。
【図１３】    両端支持の取着枠構造を示す正面図である。
【図１４】    一対の装着軸で挟み込み状に支持する枢着構造を示す正面図である。
【図１５】    片持支持構造の取着枠を示す正面図である。
【符号の説明】
１      鏡筒
１１    同  接眼窓
１２    同  対物窓
１３    同  ネジ孔
２      取着枠
２１    同  取着孔
２２    同  軸受け孔
２３    同  円弧型長孔
２４    同  心出し機構（コイルバネ）
３      取着ネジ
４      装着軸
４１    同  仮止め用ナット
５      蜻蛉玉
５１    同  貫通孔５１（剥離層）
６      作業棒
６１    同  ガラス棒
６２    同  バーナー
７      蜻蛉玉装着具
７１    同  装着部
７２    同  開口窓
７３    同  仮止めネジ
８      牽引機構
８１    同  進退支持枠
８２    同  コイルバネ
８３    同  抜け止め用のナット
９      間隔保持機構
９１    同  転動ローラー
９２    同  転動支持枠
【図１】
0003803546.tif 000002
【図２】
0003803546.tif 000003
【図３】
0003803546.tif 000004
【図４】
0003803546.tif 000005
【図５】
0003803546.tif 000006
【図６】
0003803546.tif 000007
【図７】
0003803546.tif 000008
【図８】
0003803546.tif 000009
【図９】
0003803546.tif 000010
【図１０】
0003803546.tif 000011
【図１１】
0003803546.tif 000012
【図１２】
0003803546.tif 000013
【図１３】
0003803546.tif 000014
【図１４】
0003803546.tif 000015
【図１５】
0003803546.tif 000016